(57)【特許請求の範囲】
【請求項１】
水平姿勢の環形ランプと、この環形ランプの上側に配置されて前記環形ランプから上方へ出た光を横方向へ反射するリング形の第１の反射板と、前記環形ランプの下側に配置されてランプ光を下方向と横方向に反射するリング形の第２の反射板と、前記環形ランプの内側に配置されてランプ光を下方に反射する第３の反射板とを備えた照明器具。
【請求項２】
リング形の前記第１の反射板の中心側に前記第１の反射板に垂直に近い方向から入射する光を横方向へ出射させる波形状の導光板を有する請求項１記載の照明器具。
【請求項３】
前記環形ランプ、前記第１の反射板、前記第２の反射板および前記第３の反射板を支持する器具本体を有するとともにこれらの下側を覆う乳白グローブを有し、前記乳白グローブの周縁部と前記器具本体の周縁部との間を透光性の部材で覆った請求項１または請求項２記載の照明器具。
【請求項４】
前記第２の反射板が前記乳白グローブに固定されている請求項３記載の照明器具。
【請求項５】
水平姿勢の上側の環形ランプと、前記上側の環形ランプの下側にこれと同軸かつ平行に配置された下側の環形ランプと、前記上側の環形ランプの上側に配置されて前記上側の環形ランプから上方へ出た光を横方向へ反射するリング形の横方向反射板と、前記上側の環形ランプと前記下側の環形ランプの間に位置して前記上側の環形ランプのランプ光を横方向へ反射し前記下側の環形ランプのランプ光を下方へ反射するように傾斜したリング形の分割用反射板とを備えた照明器具。
【請求項６】
水平姿勢の環形ランプと、前記環形ランプの内側に入り込んでランプ光を横方向に反射する反射板と、前記環形ランプの下側に配置されて前記環形ランプのランプ光を横方向と下方向に反射するリング状の分割反射板とを備えた照明器具。
【請求項７】
水平姿勢の環形ランプと、この環形ランプの上側に配置されて前記環形ランプから上方へ出た光を横方向へ反射するリング形の上側反射板と、前記環形ランプの内側に配置されてランプ光を下方に反射する中央反射板と、前記環形ランプが内側となるように配置されてランプ光を天井面および横方向に反射するリング型平板を用いたルーバとを備えた照明器具。
【請求項８】
周側面に配置された複数の光源を有する水平姿勢の器具本体と、この器具本体の下側に前記器具本体と平行に配置された環形ランプと、この環形ランプが内側となるように前記環形ランプと同軸に配置されて光を下方向および横方向に反射するリング形の反射板とを備えた照明器具。
【請求項９】
環形ランプを有する器具本体と、前記器具本体に取付けられて前記環形ランプを被覆するグローブと、前記グローブの外周の前記器具本体の周側面に設置された光源と、前記光源に隣接してヒンジ付けされて前記光源の光を反射する角度調整可能な反射板とを備えた照明器具。
【請求項１０】
環形ランプを有する器具本体と、前記器具本体に取付けられて前記環形ランプを被覆するグローブと、前記グローブの外周の前記器具本体の周側面にヒンジ付けされた光源とを備えた照明器具。
【請求項１１】
上下に並置された２つの光源と、前記２つの光源の間に介在されて上側の光源により横方向を照射させ下側の光源により下方向を照射させる反射板とを備えた照明器具。
【請求項１２】
水平姿勢の環形ランプと、周面が凹状に形成された筒状であって前記環形ランプが前記周面に嵌まりランプ光を下方向および横方向に反射する反射板とを備え、前記反射板は下半分がハーフミラーである照明器具。
【請求項１３】
光源と、この光源の周囲を囲み上下方向に並んだ逆笠状の複数のルーバ片からなるルーバとを備え、各ルーバ片の上端の径は上側のルーバ片ほど大きくなっている照明器具。
【請求項１４】
天井面と壁面とのコーナに沿って平行に配置される直管の光源と、前記光源の背面側となる前記コーナ側に配置されて前記天井面および前記壁面の上部を照明する背面反射板と、前記反射板に連結用部材を介して取付けられて前記光源の前側に位置するグローブまたは反射板とを備えた照明器具。
【発明の詳細な説明】
【０００１】
【発明の属する技術分野】
この発明は、省エネルギーを実現し、かつ部屋空間を明るく感じさせる屋内の照明器具に関するものである。
【０００２】
【従来の技術】
従来、住宅の居室等の屋内照明は主としてシーリングライトやペンダントに代表される照明器具を部屋の天井面中央部に一灯設置するという形態をとっていた。従来の照明器具の代表的なものとその配光を図１８から図２１に示す。図１８（ａ）において、１００は器具本体、１０１は環形の蛍光灯、１０２は乳白グローブある。図１９（ａ）、（ｂ）はグローブの形状が異なるもの、図２０（ａ）、（ｃ）、および図２１（ａ）、（ｃ）はセードの形状が異なるものである。
【０００３】
これらの各配光はいずれも直下に突出し、水平方向に大きく突出していることはない。
【０００４】
【発明が解決しようとする課題】
しかし、居室において視作業を行なうことを想定する場合、部屋全体を照明しながらも部屋の比較的中央部分の照度を確保しなければならないので、どうしても壁面輝度と部屋隅部の輝度が低くなり、器具全体の全光束に対して部屋の明るさ感は低くなる。ここで述べる明るさ感とは、部屋空間全体に対して感じる明るさの印象を示しており、机上面照度で評価される視作業面の明るさとは異なるが、視作業面の明るさと同様、部屋の照明の良否を決定する重要な人間の感覚量である。天井面輝度、壁面照度、部屋隅部の輝度は明るさ感に対する影響が強く、明るさ感を高めるためには、天井面輝度を確保しつつ壁面輝度、部屋隅部の輝度を高くすることが必要である。
【０００５】
天井面輝度を確保しつつ壁面輝度、部屋隅部の輝度を高くする照明に関しては従来のものでは、「間接照明」、「一室多灯照明」、「ウォールウォッシャ」等が挙げられる。間接照明では光源のまぶしさを解消し、天井面・壁面を柔らかい光で照明できるが、その反面照明にメリハリがなくなり、明るさ感は必ずしも高くなるわけではない。一室多灯照明では必要な部位に照明器具を設置することで快適な照明環境を実現でき、用途に合わせた種々の照明環境を創り出すことはできるが、多数の照明器具を必要とするため、コスト、消費エネルギーの面でデメリットが発生するとともに、その量および配置によって部屋空間の視角的な調和を乱すことにもなり得る。ウォールウォッシャについても、壁面を局部的に明るくするものの部屋空間の全体の明るさ感を必ずしも高くするものではなく、他の主照明との併用が必要となれば、一室多灯照明の場合と同様なデメリットが発生する。
【０００６】
したがって、この発明の目的は、部屋空間において照明器具の下方の光束も確保しつつ、天井面・壁面上方部分も明るく照明することにより、その部屋空間全体を明るく感じさせる照明器具を提供することである。
【０００７】
【課題を解決するための手段】
請求項１記載の照明器具は、水平姿勢の環形ランプと、この環形ランプの上側に配置されて前記環形ランプから上方へ出た光を横方向へ反射するリング形の第１の反射板と、前記環形ランプの下側に配置されてランプ光を下方向と横方向に反射するリング形の第２の反射板と、前記環形ランプの内側に配置されてランプ光を下方に反射する第３の反射板とを備えたものである。
【０００８】
請求項１記載の照明器具によれば、照明器具の鉛直下方向ばかりでなく水平方向を積極的に照明することができる。このように照明器具の下方の照度を確保しつつ、天井面・壁面を明るく照らすことにより、照明された部屋空間全体を明るく感じさせ明るさ感を向上させることができる。さらにこの照明環境が一つの部屋空間に対して一灯の照明器具で実現できる。
【０００９】
請求項２記載の照明器具は、請求項１において、リング形の前記第１の反射板の中心側に前記第１の反射板に垂直に近い方向から入射する光を横方向へ出射させる波形状の導光板を有するものである。
【００１０】
請求項２記載の照明器具によれば、請求項１の効果のほか、第１の反射板に対して深い角度で入った光をも導光板によって横方向へ反射することができる。
【００１１】
請求項３記載の照明器具は、請求項１または請求項２において、前記環形ランプ、前記第１の反射板、前記第２の反射板および前記第３の反射板を支持する器具本体を有するとともにこれらの下側を覆う乳白グローブを有し、乳白グローブの周縁部と前記器具本体の周縁部との間を透光性の部材で覆ったものである。
【００１２】
請求項３記載の照明器具によれば、請求項１または請求項２と同様な効果のほか、グローブにより器具内への埃等の侵入を防ぐとともに、グローブの透過性のある部分から横方向へ積極的に光を出すことができる。
【００１３】
請求項４記載の照明器具は、請求項３において、前記第２の反射板が前記乳白グローブに固定されているものである。
【００１４】
請求項４記載の照明器具によれば、請求項３と同様な効果のほか、グローブを外すことで第２の反射板が環形ランプから離れるのでランプ交換が容易にできる。
【００１５】
請求項５記載の照明器具は、水平姿勢の上側の環形ランプと、前記上側の環形ランプの下側にこれと同軸かつ平行に配置された下側の環形ランプと、前記上側の環形ランプの上側に配置されて前記上側の環形ランプから上方へ出た光を横方向へ反射するリング形の横方向反射板と、前記上側の環形ランプと前記下側の環形ランプの間に位置して前記上側の環形ランプのランプ光を横方向へ反射し前記下側の環形ランプのランプ光を下方へ反射するように傾斜したリング形の分割用反射板とを備えたものである。
【００１６】
請求項５記載の照明器具によれば、簡略化された反射板で横方向および下方向への配光を実現できる。
請求項６に係る発明は、水平姿勢の環形ランプと、前記環形ランプの内側に入り込んでランプ光を横方向に反射する反射板と、前記環形ランプの下側に配置されて前記環形ランプのランプ光を横方向と下方向に反射するリング状の分割反射板とを備えた照明器具である。
請求項６記載の照明器具によれば、簡略化された反射板で横方向および下方向への配光を実現できる。
請求項７記載の照明器具は、水平姿勢の環形ランプと、この環形ランプの上側に配置されて前記環形ランプから上方へ出た光を横方向へ反射するリング形の上側反射板と、前記環形ランプの内側に配置されてランプ光を下方に反射する中央反射板と、前記環形ランプが内側となるように配置されてランプ光を天井面および横方向に反射するリング型平板を用いたルーバとを備えた照明器具である。
請求項７記載の照明器具によれば、請求項１と同様な効果がある。
請求項８記載の照明器具に係る発明は、周側面に配置された複数の光源を有する水平姿勢の器具本体と、この器具本体の下側に前記器具本体と平行に配置された環形ランプと、この環形ランプが内側となるように前記環形ランプと同軸に配置されて光を下方向および横方向に反射するリング形の反射板とを備えた照明器具である。
請求項８記載の照明器具によれば、請求項１と同様な効果がある。
請求項９記載の照明器具に係る発明は、環形ランプを有する器具本体と、前記器具本体に取付けられて前記環形ランプを被覆するグローブと、前記グローブの外周の前記器具本体の周側面に設置された光源と、前記光源に隣接してヒンジ付けされて前記光源の光を反射する角度調整可能な反射板とを備えた照明器具である。
請求項９記載の照明器具によれば、横方向および下方を照明することができる。
請求項１０記載の照明器具に係る発明は、環形ランプを有する器具本体と、前記器具本体に取付けられて前記環形ランプを被覆するグローブと、前記グローブの外周の前記器具本体の周側面にヒンジ付けされた光源とを備えた照明器具である。
請求項１０記載の照明器具によれば、横方向および下方を照明することができる。
請求項１１記載の照明器具に係る発明は、上下に並置された２つの光源と、前記２つの光源の間に介在されて上側の光源により横方向を照射させ下側の光源により下方向を照射させる反射板とを備えた照明器具である。
請求項１１記載の照明器具によれば、請求項９と同様な効果がある。
請求項１２記載の照明器具に係る発明は、水平姿勢の環形ランプと、周面が凹状に形成された筒状であって前記環形ランプが前記周面に嵌まりランプ光を下方向および横方向に反射する反射板とを備え、前記反射板は下半分がハーフミラーである照明器具である。
請求項１２記載の照明器具によれば、請求項９と同様な効果がある。
請求項１３記載の照明器具に係る発明は、光源と、この光源の周囲を囲み上下方向に並んだ逆笠状の複数のルーバ片からなるルーバとを備え、各ルーバ片の上端の径は上側のルーバ片ほど大きくなっている照明器具である。
請求項１３記載の照明器具によれば、請求項１と同様な効果がある。
請求項１４記載の照明器具に係る発明は、天井面と壁面とのコーナに沿って平行に配置される直管の光源と、前記光源の背面側となる前記コーナ側に配置されて前記天井面および前記壁面の上部を照明する背面反射板と、前記反射板に連結用部材を介して取付けられて前記光源の前側に位置するグローブまたは反射板とを備えた照明器具である。
請求項１４記載の照明器具によれば、背面反射板により壁面上部を照射するとともに、天井面も照射し、部屋の隅部を明るくできるとともに、部屋全体を明るく感じさせることができる。
【００１７】
【発明の実施の形態】
この発明の一実施の形態を図１から図１７により説明する。すなわち、従来の照明手法に対して、照明器具のＷ（ワット）数を変えずに配光を変えた照明器具を作成し、実験用リビングルームに設置して照明環境を作り、心理評価実験を行った。その結果、配光を変えて照明器具下方の照度を確保しつつ、天井面・壁面上方部分を明るく照らすことによって空間全体の明るさ感を高められることが明らかになった。
【００１８】
そして、このような明るさ感の高い照明環境を１つのシーリングライトによって創り出すには、図１に示すような鉛直下方および水平方向に突出した配光の器具を用いる必要があると分かった。Ａ（ｃｄ）は鉛直角−６０°から６０°の範囲の最大光度、Ｂ1 （ｃｄ）は鉛直角−１２０°から−６０°の範囲の最大光度、Ｂ2 （ｃｄ）は鉛直角６０°から１２０°の範囲の最大光度である。
【００１９】
その実験の詳細は以下のとおりである。図４は実験に用いた従来標準のシーリングライトの１種類を示し、図２および図３は配光を改善した試作のシーリングライトの２種類を示す。いずれの照明器具もランプは７２Ｗ（環形蛍光灯４０Ｗ＋３２Ｗ）で色温度３０００Ｋ（ランプＬ）、５０００Ｋ（ランプＮ）の両方をそれぞれ用いた。図４の器具（器具３という）は図１８のものと同様である。図３の器具（器具２という）は乳白グローブ１を図４よりも浅くして上端開口２と天井３との間に上側の環形蛍光灯４が露出する程度に間隔を設けている。５は器具本体、６は下側蛍光灯である。図２の器具（器具１という）は図３の構造にさらに第１の反射板７、第２の反射板８および第３の反射板９を設けている。図２および図３ともに鉛直下方および水平方向に突出し、その間の約６０°〜７０°、および約−６０°〜−７０°の範囲が凹んだ配光を示している。
【００２０】
これらの照明器具を実験用の８畳のリビングルームに設置して比較評価を行った。
【００２１】
図５の輝度分布図から分かるように、図（ｃ）の従来標準の器具３に対して、配光を改善した図（ａ）、（ｂ）に示す試作の器具１、２はリビングルームの天井面および壁面の上部が明るくなっている。特に図（ａ）の器具１のタイプに、その傾向が強く現れている。ここで、図５（ｄ）の目盛り表に示すように、領域１１は光度約２００〜２０００ｃｄの範囲、領域１２は約３０〜２００ｃｄの範囲、領域１３は約２０〜３０ｃｄの範囲、領域１４は約１５〜２０ｃｄの範囲、領域１５は約１０〜１５ｃｄの範囲、領域１６は約１０ｃｄ以下の範囲である。
【００２２】
実験の結果を図６に示す。すなわち、図６（ｂ）、（ｃ）のＳＤ法（semantic differential technique)による明るさ感、安心感、開放感、好み等の空間の印象評価については、やや有為な差が見られ、従来標準の器具３よりも配光を改善した試作の器具１、２による照明空間の方がややよい評価となっている。少なくとも配光を改善した試作の器具１、２による照明空間の印象が大きく劣ることはない。図（ｂ）はランプＮの場合、図（ｃ）はランプＬの場合であり、被験者６人の平均値である。
【００２３】
さらに図６（ａ）のＭＥ法（magnitude estimation method)による明るさ感の評価についても、徒来標準の器具３よりも配光を改善した試作の器具１、２による照明空間の方がよい評価となっており、試作の器具１に関しては標準の器具３の約１．２５倍の明るさ感になっていることが分かる。図（ａ）は器具１との対比における明るさ感の被験者６人による平均値である。
【００２４】
先述したとおり、図５に示す輝度分布から従来標準の器具３よりも配光を改善した試作の器具１及び２はリビングルームの天井面および壁面の上部が高輝度になっている。これが上述した結果の要因であると考えられる。
【００２５】
この実験結果から検討して、部屋空間の天井面の平均輝度が３０ｃｄ／ｍ2 以上であり、その部屋空間を取り囲む壁面上において、その部屋空間の天井面から床上１．５ｍまでの間の領域での鉛直面照度が２００（ｌｘ）以上であれば、従来の照明手法よりも明るく感じると判断した。また、この様な明るく感じる照明環境を一室一灯の照明器具で創り出すためには、照明器具の下方だけでなく横方向（鉛直下方向を鉛直角０°として鉛直角−１２０°〜−６０°、６０°〜１２０°の範囲）も積極的に照射する必要がある。
【００２６】
そこで本発明は、省エネルギーを実現し、かつ部屋空間を明るく感じさせる屋内照明方法及び屋内照明器具を以下の構成とした。
【００２７】
（１）部屋空間の天井面の平均輝度が少なくとも３０ｃ／ｍ2 以上であり、その部屋空間を取り囲む壁面のうち少なくとも１つ以上の壁面上において、その部屋空間の天井面から床上１．５ｍまでの間の領域での鉛直面照度が少なくとも２００（ｌｘ）以上となる構成の照明方法である。
【００２８】
また、鉛直角−６０°から６０°の範囲の最大光度Ａｃｄ、鉛直角−１２０°から−６０°の範囲の最大光度Ｂ1 ｃｄ、鉛直角６０°から１２０°の範囲の最大光度Ｂ2 ｃｄ（鉛直下方向を鉛直角０°）として、
（２）図１に示すような形状の配光で、以下の条件を満たす光度を有する構成の照明器具またはその器具を部屋空間の天井面の中央あたりに設置する構成の照明方法である。
【００２９】
Ｂｌ≒Ｂ２≧０．５×Ａ
これにより、空間の明るさ感の向上となる。
【００３０】
（３）以下の条件を満たす光度を有する上記（２）の構成の照明器具またはその器具を用いた構成の照明方法である。
【００３１】
Ａ≧Ｂｌ≒Ｂ２≧０・５×Ａ
これにより、空間の明るさ感向上、器具直下照度確保となる。
【００３２】
（４）以下の条件を満たす光度を有する上記（２）の構成の照明器具またはその器具を用いた構成の照明方法である。
【００３３】
Ａ≒Ｂｌ≒Ｂ２
これにより、空間の明るさ感向上・器具直下照度確保・部屋空間全体の照明バランス良好となる。
【００３４】
（５）図７から図１５に示すように、器具直下方向および水平方向に突出する配光を有する構造の照明器具である。
【００３５】
図８から図１５に示す器具において、各々の器具は基本的に図７に示す部屋内照射イメージ図に示すような配光を目標としている。すなわち、図７の角度範囲７０ａの光量を抑えて、視線方向のグレアを減少させつつ、角度範囲７０ｂ、７０ｃすなわち器具鉛直下方および水平方向に明るくして明るさ感の増加を実現する。これを実現するものとして、例えば図２（ｃ）等に示す配光が得られる器具が選択される。
【００３６】
図８（ａ）は器具例１であり、器具例２、３、４の基本となる反射板で、図２（ｂ）に示したように大きく３つの鏡面板等を用いた反射板７〜９から構成されている。これらの反射板７〜９は断面で表しているが、器具の鉛直方向の中心軸に対して回転させた形状である。器具上部の反射板７は光源（環形蛍光灯４、６）から上方へ出た光を横方向へ飛ばす役目をし、この反射板７に対して深い角度で入った光は導光板７ａ（拡大図で示す）によって横方向へと飛ばすようにする。器具下部の反射板８は光源（４、６）からの光を器具の下方と横方向へ分割する役目をするもので、導光板を用いてもよい。器具中央部の反射板９は器具中央部の光を積極的に下方べ飛ばす役目をする。
【００３７】
図９（ａ）の器具例３は器具例１の器具を乳白グローブ１で完全に覆い、配光的には良く、空間がやや暗めであるが、グレアを抑えている。図９（ｂ）の器具例４は乳白グローブ１の上部に隙間を設け、隙間部分から水平方向へ積極的に光を出し、天井面・壁面をより明るく照射する。器具例２は器具例４に対して乳白グローブ上部の隙間の部分を透過性のある材料２０で埋め、器具内への挨等の侵入を防いでいる。グローブ１の透過性のある部分から水平方向へ積極的に光を出す。また器具例２では器具下部の反射板８をグローブ１の内面に固定しており、グローブ１とともに器具本体５から着脱できるので、器具の取扱い（ランプ交換等）を容易に行うことが可能である。
【００３８】
図１０に示す器具５、６は器具例１の反射板７〜９を簡略化したタイプである。器具例５では反射板７、２１により構成し、２つの環形蛍光灯４、６間に設けられた斜め（水平に対して４５°以下程度）の反射板２１によって器具の下方向と横方向に光を分割して積極的に飛ばしている。器具例６では反射板８、２２により構成し、器具上部の反射板２２は環形蛍光灯４の中央部に入り込んで横方向に光を飛ばす役目をし、器具下部の反射板８で光源からの光を器具の下方向と横方向へ分割する役目をする。
【００３９】
図１１（ａ）に示す器具例７は図３に対応し、明るさ感を高める配光を簡易的に実現するもので、反射板７〜９がなく、グローブ１の上部に隙間を設けたものである。配光的に良い傾向となり、空間が明るい印象になる。反射板７〜９を用いた場合ほどの効果はないが、実現し易い。図１１（ｂ）、（ｃ）に示す器具例８は乳白グローブなしのグレアレスタイプであり、器具上部の反射板７、中央部の円錐形反射板２３、リング型平板を用いたルーバ部分２４で構成されている。ルーバ部分２４は天井面・横方向へ光を飛ばしつつ、光源のグレアをカットしている。他の反射板７、２３は器具の下方向と横方向へ光を飛ばす役目をする。
【００４０】
図１２に示す器具例９、１０、１１は２種類の光源を組合わせたタイプである。どれもたとえば環形蛍光灯を用いた光源３１によって器具直下、部屋中央部分を主に照射し、たとえば豆球やスポットライトなどを用いた光源３２によって天井面、壁面上部を主に照射する。器具例９は、光源３２を内蔵しており、グローブ１の内部に設けられた反射板８によって光を下方向と横方向に分割する。光源３２は器具本体５の周側面に設置されている。器具例１０、１１は光源３２がグローブ１の外部に設置され、器具例１０では光源３２に隣接してヒンジ付けされた反射板３３が部屋サイズによって角度調整され、器具例１１では器具本体５にヒンジ付けされた光源３２自体を部屋サイズによって角度調整し、任意の方向を照射する。
【００４１】
図１３に示す器具例１２、１３、１４の器具は横方向を重視した配光のタイプで横方向を積極的に照射する形状の回転体の反射板３４を有している。器具例１３は乳白グローブ１で器具全体を覆ったもので、器具例１２は乳白グローブ１の上部に隙間を設け、より効果を上げたものである。器具例１４はペンダントタイプの器具でグローブ１の隙間と反射板３４によって天井面・横方向を積極的に照射する。
【００４２】
図１４（ａ）、（ｂ）の器具例１５、１６は器具のグローブ１の内部の光源をオフホワイト艶消しした反射板３６または鏡面タイプの反射板３６′によって分割して、横方向を照射する光源と下方向を照射する光源というように役割を分担したものである。器具例１５の器具は同種の２光源たとえば環形蛍光灯４、６を用いたもので、器具例１６の器具は異種の２光源たとえば環形蛍光灯４と白熱電球３７を用いたものである。
【００４３】
図１４（ｃ）の器具例１７の器具は器具下方向と横方向に光を飛ばす反射板に、鏡面タイプの反射板３８とハーフミラー３９（半鏡面透明板）を用いたものである。この器具は反射板３８の下半分がハーフミラー３９になっており天井面・横方向に光を飛ばしつつも、下方向へも透過光が及ぶようになっている。
【００４４】
図１５の器具例１８は半透明のルーバ４１を用いたペンダントタイプの器具である。図（ｂ）に示すように器具周囲に連結部材４３によりルーバ状に乳白パネル４０が設置されている。半透明ルーバ４１であるので、下方へも光が及ぶとともに、上方向へ伸びたルーバーの形状により反射光が天井面・横方向へ及ぶことになる。４２は白熱電球である。
【００４５】
図１６（ａ）、（ｂ）は、高明るさ感照明手法の例であり、上記に示した照明器具５０を部屋空間の天井面中央あたりに配置して上記（１）〜（４）の照明環境を実現したものである。
【００４６】
図１６（ｃ）、（ｄ）に示すシステム例１は、照明器具５０による主照明以外に、部屋全体を明るく感じさせるために壁面近傍に壁面を積極的に照射する照明器具５１を配置して上記（１）〜（４）の照明環境を実現したものである。この場合、照明器具５０は従来の一室一灯の照明器具よりも低出力でよい。なお、壁面近傍に配置した照明器具５１のみで上記（１）〜（４）の照明環境を実現してもよい。
【００４７】
図１６（ｅ）、（ｆ）に示すシステム例２もシステム例１と同様であるが、  システム例１は天井の四辺に部屋全体を明るく感じさせるために壁面上部を照射する器具５１を設置したもので、システム例２はシステム例１と同様な効果を得るために、壁面隅部に縦置きの形で壁面上部を照射する器具５２を設置したものである。
【００４８】
図１７に示す器具例１９は壁面照射用の器具５５であり、例えば直管蛍光灯を用いた光源６０の器具背面の反射板５６により壁面上部を照射するとともに、天井面も照射し、部屋の隅部を明るくする。その前面を反射板５６に連結用部材６１を介して乳白等のグローブ５７を設置することで器具前方も照射できるが、たとえば鏡面タイプの反射板にすればより一層効率よく壁面及び天井面を照射することができる。このような器具の場合、従来のシーリングライト６２等を部屋中央部付近に照明器具を設置する場合はもちろん設置せずに、上記（１）〜（４）の照明環境を実現する可能性がある。
【００４９】
【発明の効果】
請求項１記載の照明器具によれば、照明器具の鉛直下方向ばかりでなく水平方向を積極的に照明することができる。このように照明器具の下方の照度を確保しつつ、天井面・壁面を明るく照らすことにより、照明された部屋空間全体を明るく感じさせ明るさ感を向上させることができる。さらにこの照明環境が一つの部屋空間に対して一灯の照明器具で実現できる。
【００５０】
請求項２記載の照明器具によれば、請求項１の効果のほか、第１の反射板に対して深い角度で入った光をも導光板によって横方向へ反射することができる。
【００５１】
請求項３記載の照明器具によれば、請求項１または請求項２と同様な効果のほか、グローブにより器具内への埃等の侵入を防ぐとともに、グローブの透過性のある部分から横方向へ積極的に光を出すことができる。
【００５２】
請求項４記載の照明器具によれば、請求項３と同様な効果のほか、グローブを外すことで第２の反射板が環形ランプから離れるのでランプ交換が容易にできる。
【００５３】
請求項５記載の照明器具によれば、簡略化された反射板で横方向および下方向への配光を実現できる。
請求項６記載の照明器具によれば、簡略化された反射板で横方向および下方向への配光を実現できる。
請求項７記載の照明器具によれば、請求項１と同様な効果がある。
請求項８記載の照明器具によれば、請求項１と同様な効果がある。
請求項９記載の照明器具によれば、横方向および下方を照明することができる。
請求項１０記載の照明器具によれば、横方向および下方を照明することができる。
請求項１１記載の照明器具によれば、横方向および下方を照明することができる。
請求項１２記載の照明器具によれば、請求項９と同様な効果がある。
請求項１３記載の照明器具によれば、請求項９と同様な効果がある。
請求項１４記載の照明器具によれば、請求項１と同様な効果がある。
請求項１５記載の照明器具によれば、背面反射板により壁面上部を照射するとともに、天井面も照射し、部屋の隅部を明るくできるとともに、部屋全体を明るく感じさせることができる。
【図面の簡単な説明】
【図１】この発明の一実施の形態を説明する配光曲線図である。
【図２】実験に用いた配光を改善した試作の器具１を示し、（ａ）は斜視図、（ｂ）は断面図、（ｃ）は配光曲線図である。
【図３】実験に用いた配光を改善した別の試作の器具２を示し、（ａ）は斜視図、（ｂ）は断面図、（ｃ）は配光曲線図である。
【図４】実験に用いた従来標準の器具を示し、（ａ）は斜視図、（ｂ）は断面図、（ｃ）は配光曲線図である。
【図５】（ａ）は器具１の輝度分布図であり、（ｂ）は器具１の輝度分布図、（ｃ）は従来の輝度分布図である。
【図６】（ａ）はＭＥ法による明るさ感評価グラフ、（ｂ）はＳＤ法によるランプＮの印象評価図、（ｃ）はＳＤ法によるランプＬの印象評価図である。
【図７】部屋内照明イメージを説明する部屋の断面図である。
【図８】（ａ）は器具例１の断面図、（ｂ）は器具例２の断面図、（ｃ）はそのグローブ１の断面図である。
【図９】（ａ）は器具例３の断面図、（ｂ）は器具例４の断面図である。
【図１０】（ａ）は器具例５の断面図、（ｂ）は器具例６の断面図である。
【図１１】（ａ）は器具例７の断面図、（ｂ）は器具例８の断面図、（ｃ）はそのルーバー部分の斜視図である。
【図１２】（ａ）は器具例９の断面図、（ｂ）は器具例１０の断面図、（ｃ）は器具例１１の断面図である。
【図１３】（ａ）は器具例１２の断面図、（ｂ）は器具例１３の断面図、（ｃ）は器具例１４の断面図である。
【図１４】（ａ）は器具例１５の断面図、（ｂ）は器具例１６の断面図、（ｃ）は器具例１７の断面図である。
【図１５】（ａ）は器具例１８の断面図、（ｂ）はその外観斜視図である。
【図１６】（ａ）は天井の中央に照明器具を設置した例の部屋の内部の斜視図、（ｂ）はその天井の平面図、（ｃ）は天井の中央および壁面に照明器具を設置した例の部屋の内部の斜視図、（ｄ）はその天井の平面図、（ｅ）は天井の中央および壁面コーナに照明器具を設置した例の部屋の内部の斜視図、（ｄ）はその天井の平面図である。
【図１７】（ａ）は器具例１９の天井の隅部に配置した器具の斜視図、（ｂ）はその室内の天井部分の部分断面図である。
【図１８】従来例の照明器具を示し、（ａ）は断面図、（ｂ）はその配光曲線である。
【図１９】他の従来例の照明器具を示し、（ａ）は外観斜視図、（ｂ）はその配光曲線、（ｃ）は別の照明器具の外観斜視図、（ｄ）はその配光曲線である。
【図２０】他の従来例の照明器具を示し、（ａ）は外観斜視図、（ｂ）はその配光曲線、（ｃ）は別の照明器具の外観斜視図、（ｄ）はその配光曲線である。
【図２１】他の従来例の照明器具を示し、（ａ）は外観斜視図、（ｂ）はその配光曲線、（ｃ）は別の照明器具の外観斜視図、（ｄ）はその配光曲線である。
【符号の説明】
１    グローブ
２    開口
３    天井
４    環形蛍光灯
５    器具本体
６    環形蛍光灯
【図１】
0004547736.tif 000002
【図２】
0004547736.tif 000003
【図３】
0004547736.tif 000004
【図４】
0004547736.tif 000005
【図５】
0004547736.tif 000006
【図６】
0004547736.tif 000007
【図７】
0004547736.tif 000008
【図８】
0004547736.tif 000009
【図９】
0004547736.tif 000010
【図１０】
0004547736.tif 000011
【図１１】
0004547736.tif 000012
【図１２】
0004547736.tif 000013
【図１３】
0004547736.tif 000014
【図１４】
0004547736.tif 000015
【図１５】
0004547736.tif 000016
【図１６】
0004547736.tif 000017
【図１７】
0004547736.tif 000018
【図１８】
0004547736.tif 000019
【図１９】
0004547736.tif 000020
【図２０】
0004547736.tif 000021
【図２１】
0004547736.tif 000022